(57)【要約】【課題】農家の人でも短時間且つ容易に高設栽培棚を組立てできる高さ調整機構及び横つなぎ材並びに埋没防止材を提供するものである。【解決手段】支柱外管３２に高さ調整内管３１を挿入した前記支柱に、前記支柱外管３２の外径よりも小さく且つ前記高さ調整内管３１の外径よりも大きい高さ調整内管挿入孔と該挿入孔の側方に設けられた位置決め穴とを設けた横つなぎ材４を挿入して、該横つなぎ材４を前記支柱外管３２の上端肉厚部に支持させ、横つなぎ材に挿入された高さ調整内管３１を前記位置決め穴から位置決めねじ４３により所定高さに固定するものである。横つなぎ材４が断面コの字形状であり、位置決め穴はバーリング加工にタップ切りされている。また、埋設防止板は、支柱３に埋没防止板５を固定するための楔５３打ち込み用隙間を有する。【選択図】　図１
2004049130.tif 000002
【特許請求の範囲】
【請求項１】
培地容器（２）を支持する複数の横パイプ（６）と、前記複数の横パイプ（６）を高さ方向に支持する支柱（３）と、前記支柱間を連結する横つなぎ材（４）からなる高設栽培棚（１）における横パイプ高さ調整機構において、支柱外管（３２）に高さ調整内管（３１）を挿入した前記支柱に、前記支柱外管（３２）の外径よりも小さく且つ前記高さ調整内管（３１）の外径よりも大きい高さ調整内管挿入孔（４１）と該挿入孔の側方に設けられた位置決め穴（４２）とを設けた横つなぎ材（４）を挿入して、前記横つなぎ材（４）を前記支柱外管（３２）の上端肉厚部に支持させ、横つなぎ材（４）に挿入した高さ調整内管（３１）を前記位置決め穴（４２）から位置決めねじ（４３）により所定高さに固定することを特徴とする高設栽培棚の高さ調整機構。
【請求項２】
前記請求項１記載の横つなぎ材（４）が断面コの字形状であり、位置決め穴（４２）はバーリング加工にタップ切りされていることを特徴とする高設栽培棚用横つなぎ材。
【請求項３】
培地容器（２）を支持する複数の横パイプ（６）と、前記複数の横パイプ（６）を高さ方向に支持する支柱（３）と、前記支柱間を連結する横つなぎ材（４）からなる高設栽培棚（１）における前記支柱（３）の下部地面（８）で支柱（３）に固着させて用いる所定面積の埋没防止板（５）において、支柱（３）に埋没防止板（５）を固定するための楔（５３）打ち込み用隙間（５２）を有する支柱挿入孔（５１）を設けたことを特徴とする高設栽培棚用埋没防止板。
【発明の詳細な説明】
【０００１】
【発明の属する技術分野】
本発明は、作物の栽培を行う際に用いる高設栽培棚の組立てにおける高さ調整機構及び該棚組立てに用いる横つなぎ材並びに埋没防止板に関する。
【０００２】
【従来の技術】
作物の栽培は地上に土を盛って行う土耕栽培が一般的であるが、近年、作物の高品質、高生産性のために害虫防止、培地の管理、育成状況管理などが容易で、且つ作業者が立ったままで作業できることから高齢者の作業負荷が軽減できる高設栽培が普及している。高設栽培はビニールハウス内に地上約１ｍ前後に架台を組んでその架台に培地容器や鉢等を設置して培地容器内に硬質パーライト、ピートモス、籾殻、ロックウール等の任意の培地を形成し、温度管理された養液を容器内に供給循環させたり、液滴させながら作物を育成する。
この高設栽培棚の高さは、作業者の作業しやすい高さや作物の種類等によって異なるため、作物の切替に際して高さ調整が必要となる。
【０００３】
従来の高設栽培棚の組立ては、パイプを番線等で筋結して行われていたが、強度や位置決めの難しさから専門の組み立て作業者に頼らざるを得ないことが多かった。そのため、設置作業が短時間に容易に行えて農家の人でも組立てが可能な高設栽培棚が切望されており、例えばと特開２００１−２３１３６７号公報には、地面８に支持穴を所要数配列させて設け、棚支持体の支柱パイプを支持穴に差し込んで複数立設し、連接パイプで支持パイプの上端を架設し、栽培棚本体を棚支持体の上部に取り付ける栽培棚の構築方法及び栽培棚が開示されている。
【０００４】
【発明が解決しようとする課題】
しかしながら、従来の高設栽培棚は、棚支持体の支持パイプが所定長さの一本物で構成されているため、培地容器内に養液を流すための容器の傾斜調整を地盤への支持パイプ差込時に調整する必要があり、また、地盤が傾斜している場合などの培地容器の水平取りが容易に出来ないという課題があった。
さらに、一度組み立てた栽培棚において、作物を切替え培地高さ調整する場合にあっては、栽培棚を解体後再度所定高さに組み替えする必要があった。
【０００５】
そこで本発明のうち請求項１記載の発明は、一度組立てした後の高さ調整であっても棚全体を解体することなく簡単且つ容易に培地容器の高さ調整ができる高設栽培棚の高さ調整機構を提供することを目的とている。
また、請求項２に記載の発明は、請求項１の発明の目的に加えて、高設栽培棚の強度を損なうことの無い横つなぎ材を提供せんとするものである。
更に、請求項３記載の発明は、高設栽培棚組立てに際し地盤が軟弱な場合や段差がある場合にあっても培地容器高さの調整が行いやすく、且つ培地加重によって培地容器が傾斜崩壊しにくい高設栽培用棚の埋没防止板を提供することを目的とする。
【０００６】
【課題を解決するための手段】
上記の目的を達成するために、請求項１記載の発明は、培地容器を支持する複数の横パイプと、前記複数の横パイプを高さ方向に支持する支柱と、前記支柱間を連結する横つなぎ材からなる高設栽培棚における横パイプ高さ調整機構において、支柱外管に高さ調整内管を挿入した前記支柱に、前記支柱外管の外径よりも小さく且つ前記高さ調整内管の外径よりも大きい高さ調整内管挿入孔と該挿入孔の側方に設けられた位置決め穴とを設けた横つなぎ材を挿入して、横つなぎ材を前記支柱外管の上端肉厚部に支持させ、横つなぎ材に挿入した高さ調整内管を前記位置決め穴から位置決めねじにより所定高さに固定する機構である。
【０００７】
本発明によると、支柱外管に挿入した高さ調整用内管を上下させ、横つなぎ材の位置決めねじを締めることで、所定高さに高さ調整内管を固定することができるため、支柱外管はそのままにして培地容器の高さを調整することができる。
【０００８】
また、請求項２記載の発明は、請求項１記載の発明の構成に加えて、横つなぎ材が断面コの字形状であり、位置決め穴はバーリング加工にタップ切りされていることを加えたものである。
本発明によると、断面がコの字形であるため横つなぎ材を容易に成形できるとともに、バーリング加工された内側にタップを切ってあるのでねじ山数が多く締付けでねじ山を壊しにくくすることができる。
【０００９】
さらに請求項３記載の発明は、培地容器を支持する複数の横パイプと、前記複数の横パイプを高さ方向に支持する支柱と、前記支柱間を連結する横つなぎ材からなる高設栽培棚における前記支柱の下部地面で支柱に固着させて用いる所定面積の埋没防止板において、支柱に埋没防止板を固定するための楔打ち込み用隙間を有する支柱挿入孔を設けたものである。
本発明によると、地面において支柱に埋没防止板を固定するに際し、横方向ではなく、上方から楔を打ち込むだけで固定できるため作業しやすく、また、地面に凹凸があった場合にあっても埋没防止板も殴打しながら楔打ち込みを行うことで地面を安定強化できる。
【００１０】
【発明の実施の形態】
以下に本発明による好適な実施例を、図面に基づいて詳細に説明する。図１、図２は本発明を適用した高設栽培棚の斜視図であり、図３、図６及び図７は本発明の高さ調整機構を説明する横つなぎ材の実施例であり、図４、図８及び図９は埋没防止板の実施例である。
【００１１】
まず、本発明を適用する高設栽培棚について説明する。図１及び図２に示す高設栽培棚１は、支柱３が２本構成の実施例である。支柱３は支柱外管３２に高さ調整内管３１を挿入して構成し、前後２本の支柱３は横つなぎ材４で所定幅に連結される。この前後２本の支柱３を横方向に複数設置し、ジョイント材７を取付けた横パイプ６を支柱上端、すなわち高さ調整内管上端に挿入することにより図１の棚を形成する。支柱外管３２の地上部には埋没防止板５を楔５３で固定し高設栽培棚１の沈み込みや傾斜崩壊を防止する。
【００１２】
請求項１に記載の発明は、各支柱３を支柱外管３２と該支柱外管３２に挿入可能な外径からなる高さ調整内管３１で構成し、横つなぎ材４に設けた側方位置決め穴４２から位置決めねじ４３にて高さ調整内管３１を固定することにより所定高さの高設栽培棚１とする高さ調整機構である。横つなぎ材４には高さ調整内管挿入孔４１が複数設けてあり、該挿入孔の大きさは支柱外管３２の外径よりも小さく且つ前記高さ調整内管３１の外径よりも大きくして、横つなぎ材４を支柱外管３２の上端肉厚部にて支持させる構造となっている。また、横つなぎ材４の側方には高さ調整内管３１の高さを固定するための位置決め穴４２があり位置決めねじ４３が螺合可能になっている。
【００１３】
本発明の高さ調整機構の実施例を図３、図６及び図７に示す。これらの実施例では支柱３が丸パイプの場合を例示しているが、本発明の特徴は支柱外管３２をそのままにして高さ調整内管３１で横パイプ６高さを調整できる機構にあるため、支柱３が角パイプ等であってもよい。また、横つなぎ材４も図の如く角管や丸管が使用できるが、好ましくは鋼板を折り曲げ加工した断面コの字形状で、且つ位置決め穴４２がバーリング加工でタップ切りされている横つなぎ材４を用いることが、加工が容易で安価な高設栽培棚１とすることが出来る。棚の耐強度性を確保するには横つなぎ材４の鋼板厚みは１．２ｍｍ以上あれば十分である。例えば高さ調整内管Φ１９．１ｍｍ、支柱外管Φ２２．２ｍｍの支柱を使用する場合の横つなぎ材４の高さ調整内管挿入孔４１の大きさはΦ２０ｍｍ程度とし、バーリング加工後のタップ切りはＭ６程度とするとよい。
【００１４】
次に請求項３に記載の埋没防止板５について説明する。本発明の特徴は支柱３が地盤内に沈下することを防止するためのもので、埋没防止板５の支柱挿入孔５１に楔５３を打ち込む簡単な作業で支柱外管３２に埋没防止板５を固定するものである。本発明の埋没防止板５は所定の面積を有する鋼板に支柱挿入孔５を設けたものであり、該挿入孔は挿入された支柱３との間に楔５３が打ち込める隙間５２を有する形状である。埋没防止板５の実施例を図４、図８及び図９に示す。図８は高設栽培棚１をほぼ平らな地面に設置する場合の実施例であり、前後２本の支柱外管３２が挿入できるタイプのもので、図４及び図９は地面８に段差がある場合に各々の支柱外管別に使用するものである。図に示す如く楔５３打ち込み用隙間５２の数や形状は複数考えられるが、図３に示す前方後円墳形状の支柱挿入孔５１で確実に固定できる。また、埋没防止板５の板厚さも２．３ｍｍ程度以上のものであれば十分である。
【００１５】
本発明の高設栽培棚１はビニールハウス内などの高湿度環境に設置される場合が多い。そのため、棚の耐食性を向上させるたために、支柱３、横パイプ６、横つなぎ材４、埋没防止板５などの材料としては、めっきや塗装などの表面処理を施した素材を使用することが好ましい。めっき材としては、Ｚｎ系、Ｚｎ−５％Ａｌ系、Ｚｎ−Ａｌ−Ｍｇ系のものが使用される。塗装を施さない裸使用にあっては、特に耐食性の優れたＺｎ−Ａｌ−Ｍｇ系のめっき材を使用することが好ましい。
【００１６】
次に高設栽培棚１の組立て方法について説明する。高設栽培棚１の組立てはまず前後支柱３及び横方向の支柱３の打ち込み位置を墨出しして、墨出しされた位置に支柱外管３２を打ち込む。この打ち込みは支柱外管３２が自立する程度の深さに打ち込めばよく、その後に其々の支柱外管３２に埋没防止板５を挿入セットして楔５３を打ち込み固定する。楔５３打ち込みに際しては前後の支柱外管３２の上端レベルを水平に合わせて楔５３で固定する。次いで位置決めねじ４３で横つなぎ材４に高さ調整内管３１を仮留めした状態で前後の支柱外管３２に高さ調整内管３１を挿入する。横パイプ６には横方向の支柱３間隔に合わせてジョイント材７を事前にセットしておき、ジョイント材７を順次高さ調整内管３１の管内に差し込むことにより高設栽培棚１を構築して行く。
【００１７】
一旦仮構築が完了すると最終高さ調整を行う。この最終高さ調整は適切作業高さ、培地容器２内での養液流れ傾斜などを考慮して、先に仮止めした横つなぎ材４の位置決めねじ４３を本締めすることにより行う。尚、この本締めに際しては、横パイプ６と高さ調整内管３１上部の当りの調整も行いながら組立てる。その後培地容器２を横パイプ６上に載荷して高設栽培棚１の構築を完了する。
【００１８】
【発明の効果】
この発明にかかる高設栽培棚用の高さ調整機構及び横つなぎ材並びに埋没防止板は、以上説明した如き内容のものなので、農家の人でも短時間且つ容易に高設栽培棚を組立てることができるという効果がある。
以上説明したように、この発明のうち請求項１記載の発明は、支柱外管に挿入した高さ調整用内管を上下させ、横つなぎ材の位置決めねじを締めることで、所定高さに高さ調整内管を固定することができるため、支柱外管はそのままにして培地容器の高さを調整することができるという効果があり、更に請求項２記載の発明は断面がコの字形であるため横つなぎ材を容易に成形できるとともに、バーリング加工された内側にタップが切ってあるのでねじ山数が多く締付けでねじ山を壊しにくくすることができる効果がある。
【００１９】
また、請求項３記載の発明は、地面において支柱に埋没防止板を固定するに際し、横方向ではなく、上方から楔を打ち込むだけで固定できるため作業しやすく、また、地面に凹凸があった場合にあっても埋没防止板も殴打しながら楔打ち込みを行うことで地面を安定強化できるという効果がある。
【図面の簡単な説明】
【図１】本発明を適用した高設栽培棚に培地容器を載置した斜視図である。
【図２】本発明を適用した高設栽培棚の斜視図である。
【図３】本発明の高さ調整機構を説明する横つなぎ材の一実施例である。
【図４】本発明の埋没防止板の一実施例である。
【図５】高設栽培棚に使用するジョイント材の一実施例である。
【図６】高さ調整機構を説明する横つなぎ材の他の実施例である
【図７】高さ調整機構を説明する横つなぎ材の他の実施例である
【図８】埋没防止板の他の実施例である。
【図９】埋没防止板の他の実施例である。
【符号の説明】
１　高設栽培棚
２　培地容器
３　支柱
３１　高さ調整内管
３２　支柱外管
４　横つなぎ材
４１　高さ調整内管挿入孔
４２　位置決め穴
４３　位置決めねじ
５　埋没防止板
５１　支柱挿入孔
５２　隙間
５３　楔
６　横パイプ
７　ジョイント材
８　地面
【図１】
2004049130.tif 000003
【図２】
2004049130.tif 000004
【図３】
2004049130.tif 000005
【図４】
2004049130.tif 000006
【図５】
2004049130.tif 000007
【図６】
2004049130.tif 000008
【図７】
2004049130.tif 000009
【図８】
2004049130.tif 000010
【図９】
2004049130.tif 000011